(57)【特許請求の範囲】
【請求項１】
（ａ）基台と、
（ｂ）遮光用筒を有するとともに、前記基台上に配置される、被験者の両瞳までの距離を光学的に計測する位置測定装置を設け、該位置測定装置からの情報により被験者の両眼に対する向きと高さを調整可能な発光部本体と、
（ｃ）該発光部本体に設けられる、被験者に対する該発光部本体の向き及び高さを調整する調整装置と、
（ｄ）前記発光部本体に設けられる中心光光源と周辺光光源と、
（ｅ）前記発光部本体に接続される、表示部を有するコンピュータとを具備することを特徴とするフリッカー測定装置。
【請求項２】
請求項１記載のフリッカー測定装置において、前記中心光光源は、中心光の大きさを変える中心光調整装置を具備することを特徴とするフリッカー測定装置。
【請求項３】
請求項２記載のフリッカー測定装置において、前記中心光調整装置は視距離に合わせてその中心光の大きさを変えることを特徴とするフリッカー測定装置。
【請求項４】
請求項２記載のフリッカー測定装置において、前記中心光調整装置は中心光光源の光路に径の異なる開口を有するカードを選択してセットすることにより、中心光の大きさを変えることを特徴とするフリッカー測定装置。
【請求項５】
請求項１記載のフリッカー測定装置において、前記遮光用筒を、前記発光部本体から取り外し可能にすることを特徴とするフリッカー測定装置。
【請求項６】
請求項１記載のフリッカー測定装置において、前記表示部を有するコンピュータを前記発光部本体及び基台の外部に設置することを特徴とするフリッカー測定装置。
【請求項７】
請求項１記載のフリッカー測定装置において、前記表示部及び情報処理装置本体を有するコンピュータを前記発光部本体及び基台に実装することを特徴とするフリッカー測定装置。
【請求項８】
請求項１記載のフリッカー測定装置において、前記基台及び発光部本体を車両の運転席の近傍に配置することを特徴とするフリッカー測定装置。
【請求項９】
請求項１記載のフリッカー測定装置において、前記基台及び発光部本体を、被験者着席用椅子と対応させて配置することを特徴とするフリッカー測定装置。
【請求項１０】
請求項１記載のフリッカー測定装置において、前記基台、発光部本体及びコンピュータを、可搬型としたことを特徴とするフリッカー測定装置。
【発明の詳細な説明】
【０００１】
【発明の属する技術分野】
本発明は、制御部と発光部が分離合体できる構造を有し、大脳の活動水準の指標となる疲労判定のためのフリッカー値を、測定場所等（屋内外および昼夜）の制約を受けることなく測定するためのフリッカー測定装置に関するものである。
【０００２】
【従来の技術】
従来、このような分野の技術としては、例えば、接眼部と表示部を具備するフリッカーテスターが用いられていた。
【０００３】
ここで、フリッカーテスターとは、筒状ケース内に点滅周期を変化し得るように発光素子を設け、ケース開口から点滅する発光素子を見つめ、点滅光が連続光として見えたときの点滅周期の境界値（フリッカー値）を求めて視覚系を含む疲労度を診断する機器である。
【０００４】
図１０はかかる従来のフリッカーテスターの模式図である。
【０００５】
この図に示すように、フリッカーテスターは、接眼フード１０２と接眼本体１０３を有する筒型の接眼部１０１から得られる情報を、リード線１０４を介して、表示部１０５に送る。すると、フリッカー値を迅速、かつ正確に測定することができるようになっている。ここで、接眼部１０１は小型軽量になっている（例えば、特開２００１−２１８７５６参照）。
【０００６】
【発明が解決しようとする課題】
しかしながら、従来のフリッカーテスターにおいては、接眼部を眼に当てて覗く必要があり、作業姿勢、例えば、車両の運転姿勢を変えなければ測定できず、煩わしいとともに、外光の影響を受けやすいといった問題があった。
【０００７】
本発明は、上記状況に鑑みて、外光の影響を受け難く、しかも作業中の姿勢を変えずに、フリッカー値を測定することができるフリッカー測定装置を提供することを目的とする。
【０００８】
【課題を解決するための手段】
本発明は、上記目的を達成するために、
〔１〕フリッカー測定装置において、基台と、遮光用筒を有するとともに、前記基台上に配置される、被験者の両瞳までの距離を光学的に計測する位置測定装置を設け、この位置測定装置からの情報により被験者の両眼に対する向きと高さを調整可能な発光部本体と、この発光部本体に設けられる、被験者に対するその発光部本体の向き及び高さを調整する調整装置と、前記発光部本体に設けられる中心光光源と周辺光光源と、前記発光部本体に接続される、表示部を有するコンピュータとを具備することを特徴とする。
【０００９】
〔２〕上記〔１〕記載のフリッカー測定装置において、前記中心光光源は、中心光の大きさを変える中心光調整装置を具備することを特徴とする。
【００１０】
〔３〕上記〔２〕記載のフリッカー測定装置において、前記中心光調整装置は、視距離に合わせてその中心光の大きさを変える中心光調整装置を具備することを特徴とする。
【００１１】
〔４〕上記〔２〕記載のフリッカー測定装置において、前記中心光調整装置は中心光光源の光路に径の異なる開口を有するカードを選択してセットすることにより、中心光の大きさを変えることを特徴とする。
【００１２】
〔５〕上記〔１〕記載のフリッカー測定装置において、前記遮光用筒を、前記発光部本体から取り外し可能にすることを特徴とする。
【００１３】
〔６〕上記〔１〕記載のフリッカー測定装置において、前記表示部を有するコンピュータを前記発光部本体及び基台の外部に設置することを特徴とする。
【００１４】
〔７〕上記〔１〕記載のフリッカー測定装置において、前記表示部及び情報処理装置本体を有するコンピュータを前記発光部本体及び基台に実装することを特徴とする。
【００１５】
〔８〕上記〔１〕記載のフリッカー測定装置において、前記基台及び発光部本体を車両の運転席の近傍に配置することを特徴とする。
【００１６】
〔９〕上記〔１〕記載のフリッカー測定装置において、前記基台及び発光部本体を、被験者着席用椅子と対応させて配置することを特徴とする。
【００１７】
〔１０〕上記〔１〕記載のフリッカー測定装置において、前記基台、発光部本体及びコンピュータを、可搬型としたことを特徴とする。
【００１８】
【発明の実施の形態】
以下、本発明の実施の形態について、詳細に説明する。
【００１９】
図１は本発明の第１実施例を示すフリッカー測定装置の斜視図、図２はそのフリッカー測定装置の模式図である。
【００２０】
これらの図に示すように、固定部（図示なし）に吸盤等（固定器具を用いてもよい）でセットされる基台１上には軸体２を介して発光部本体３とこの発光部本体３から前方へ突出する着脱自在の遮光用筒４を有し、発光部本体３には中心光光源５と中心光周辺の明るさを一定にするための周辺光光源６とを備えている。
【００２１】
更に、７は被験者Ａの位置を測定する位置測定装置であり、被験者Ａの両瞳までの距離を光学的に計測する。また、その位置測定装置７からの情報を得て、被験者Ａの両眼に対する発光部本体３の高さＨと向きθとを自動的に調整する向き・高さ調整装置８とを備えている。
【００２２】
ここで、被験者Ａの向きは、遮光用筒４を介して被験者Ａの両眼の位置を光学式の距離センサ（瞳センサ）で測定して向きθを検出し、その向きθを一定にした状態で被験者Ａの両眼に合わせた発光部本体３の高さＨを求め、発光部本体３の最適な向きと高さの位置に発光部本体３を自動的に設定することができる。つまり、発光部本体３は首振り機能を有し、被験者Ａの顔と中心光を真正面で向き合わせることができる。そのため、被験者Ａが椅子（例えば、模擬した車両の運転席）Ｂへ着席すると、その被験者（運転手）Ａの両眼に適応するように、遮光用筒４を有する発光部本体３の向きと高さの自動調整を行うことができる。
【００２３】
なお、９は着座センサであり、被験者Ａが椅子Ｂに着席すると、それを検知して、このフリッカー測定装置を自動的に駆動することができる。
【００２４】
また、周辺光光源６は４箇所にあるので、中心光の周辺の明るさは均等に保たれる。
【００２５】
また、１５は操作ボタンであり、被験者Ａがスタンバイできたら、その操作ボタン１５を操作することにより、このフリッカー測定装置を手動で駆動するようにすることもできる。
【００２６】
なお、上記実施例では位置測定装置７からの情報により、自動的に発光部本体３の向きと高さを調整するように構成したが、これに変えて、被験者Ａが基台１を介して接続される向き・高さ調整装置８にリモコン１６を接続して、そのリモコン１６の操作により、発光部本体３の向き・高さを手動により調整するようにしてもよい。
【００２７】
更に、基台１には情報処理装置本体１１と表示部１２を有するパーソナルコンピュータ１０が接続されており、その表示部１２には、フリッカー値を迅速に、かつ正確に表示するとともに、被験者Ａの疲労度の表示を行うことができる。
【００２８】
また、中心光光源５による中心光の大きさは被験者Ａの両眼に対する発光部本体３との位置情報中の距離情報に合わせて自在に変えることができる。
【００２９】
以下、そのフリッカー測定装置のシステム構成とその動作フローについて詳細に説明する。
【００３０】
図３は本発明の第１実施例を示すフリッカー測定装置のシステム構成図、図４はそのフリッカー測定装置の動作フローチャートである。
【００３１】
（１）まず、被験者Ａが椅子Ｂに着席すると、着座センサ９の動作により、このフリッカー測定装置のシステムの起動を行う（ステップＳ１）。
【００３２】
（２）次に、位置測定装置７により距離情報（ここでは、向き・高さ）を測定する（ステップＳ２）。
【００３３】
（３）次に、その距離情報（ここでは、向き・高さ）に基づいて、情報処理装置本体１１で情報処理を行い、向き・高さ調整装置８を駆動して、遮光用筒４付きの発光部本体３の向き・高さ調整を行う（ステップＳ３）。
【００３４】
（４）次に、中心光光源５と周辺光光源６とを点灯する（ステップＳ４）。
【００３５】
（５）次いで、位置測定装置７による被験者Ａの両眼と発光部本体３との距離情報に基づいて、情報処理装置本体１１で情報処理を行い、中心光の大きさ制御装置１３により、中心光光源５の中心光の大きさ（径）を調整する（ステップＳ５）。
【００３６】
（６）次に、中心光光源５の点滅制御装置１４の動作によりフリッカーの測定を行う（ステップＳ６）。
【００３７】
（７）次に、そのフリッカーの測定情報の処理を情報処理装置本体１１において行い、表示部１２にその被験者Ａの疲労度を表示する（ステップＳ７）。
【００３８】
本発明によれば、上記のように構成したので、従来のフリッカーテスターに比べて、外光の影響を受け難く、視距離に合わせて中心光の大きさを変えることができる。
【００３９】
また、従来の筒型フリッカーテスターに比べて、測定の都度、発光部の筒を持ち、筒内を覗く必要がないため、作業姿勢を変えずに、円滑な疲労度の測定を行うことができる。
【００４０】
更に、測定にあたりフリッカー測定装置を移動させる必要がないので、測定に集中することができるとともに、接眼する必要がないので衛生的である。
【００４１】
中心光光源５による中心光の大きさは被験者Ａの両眼に対する発光部本体３との位置情報中の距離情報に合わせて自在に変えるようにしたので、中心光周辺の明るさが一定に保たれるため、屋内外および昼夜を問わず正しいフリッカー測定値を得ることができる。
【００４２】
図５は上記した中心光光源の中心光の大きさ（径）を調整する装置の構成図であり、この図において、中心光光源５は複数の光源要素５Ａ，５Ｂ，５Ｃを有しており、距離に応じて、光源要素５Ａのみの点灯、光源要素５Ａと５Ｂの点灯、光源要素５Ａと５Ｂと５Ｃの点灯といった具合に、その中心光の大きさ（径）を変化させることができる。
【００４３】
次に、上記したフリッカー測定装置の適用例について説明する。
【００４４】
図６はかかるフリッカー測定装置を運転席の近傍に配置した例を示す図である。ここで、２１は運転席、２２は運転制御装置、２３は窓であり、その前方の左側に本発明のフリッカー測定装置が配置される。
【００４５】
このように構成することにより、あらかじめ発光部本体３のセットを行っておき操作ボタン１５の操作により、実際に運転姿勢を変えることなく、フリッカーの測定を行い、表示部１２に疲労度を示す画像などにより表示することができる。
【００４６】
図７は本発明の第１実施例を示すフリッカー測定装置を高速道路のサービスエリアの測定室に設置する例を示す図であり、例えば、コインによる自動写真撮影室のように、カーテン３２で仕切られた測定室３１を設置して、高速道路の深夜運転を行うような場合に、フリッカーの測定を行い、大きい表示部１２に疲労度を示す顔の表情を大写しに表示することができる。
【００４７】
なお、この場合には、被験者のデータをメモリー等に蓄積したカード等を予め情報処理装置に取り込んでから疲労度の表示を行うようにすることが望ましい。
【００４８】
また、制御部と発光部は接続線による切り離しが可能（発光部は例えば基台としての三脚に取付け可能）なため、延長コードを使用することで、発光部を被験者の前に置き、制御部を実験者の手元に置くこともできるので、実験や調査にも利用できる。
【００４９】
次に、本発明の第２実施例について説明する。
【００５０】
図８は本発明の第２実施例を示すフリッカー測定装置の斜視図である。
【００５１】
この実施例では、中心光調整装置は、発光部本体３に挿入スリット１７を設けて、その挿入スリット１７から中心光光源５の光路にセットされる開口１９を有するカード１８を挿入して、中心光の径を設定できるようにしている。つまり、開口の径の異なった複数のカードを用意しておき、それらの複数のカードを選択して、その測定時の条件に合った中心光の径を調整するようにしている。
【００５２】
したがって、第１実施例の自動的な中心光光源の調整に代えて上記したマニュアル操作によって中心光の調整を行うようにすることができる。一度設定すると、それ以降に同じ条件で被験者の疲労度を測定する場合には、その中心光の調整は固定できる。
【００５３】
次に、本発明の第３実施例について説明する。
【００５４】
図９は本発明の第３実施例を示すフリッカー測定装置の斜視図である。
【００５５】
第１及び第２実施例では表示部１２と情報処理装置本体１１を有するコンピュータ１０は発光部本体３の基台１の外部に設置されていたが、この実施例では、表示部１２と情報処理装置本体１１を有するコンピュータ１０は発光部本体３及び基台１のに実装するようにした。
【００５６】
このように構成することにより、フリッカー測定装置をよりコンパクトに構成することができる。
【００５７】
なお、本発明は上記実施例に限定されるものではなく、本発明の趣旨に基づいて種々の変形が可能であり、それらを本発明の範囲から排除するものではない。
【００５８】
【発明の効果】
以上、詳細に説明したように、本発明によれば、以下に示すような効果を奏することができる。
【００５９】
（Ａ）外光の影響を受け難く、しかも測定の都度、発光部の筒を持ち筒内を覗く必要がないため、作業中の姿勢を変えずに、円滑な疲労度の測定を行うことができる。
【００６０】
（Ｂ）測定にあたりフリッカー測定装置を移動させる必要がないので、測定に集中することができるとともに、接眼する必要がないので衛生的である。
【００６１】
（Ｃ）中心光周辺の明るさが一定に保たれるため、屋内外および昼夜を問わず正しいフリッカー測定値を得ることができる。
【００６２】
（Ｄ）フリッカー測定装置を所望の位置に設置することにより、適切なフリッカー測定を行い、疲労度の測定を実施することができる。
【図面の簡単な説明】
【図１】本発明の第１実施例を示すフリッカー測定装置の斜視図である。
【図２】本発明の第１実施例を示すフリッカー測定装置の模式図である。
【図３】本発明の第１実施例を示すフリッカー測定装置のシステム構成図である。
【図４】本発明の第１実施例を示すフリッカー測定装置の動作フローチャートである。
【図５】本発明の第１実施例を示す中心光光源の中心光の大きさ（径）を調整する装置の構成図である。
【図６】本発明の第１実施例を示すフリッカー測定装置を運転席の近傍に配置した例を示す図である。
【図７】本発明の第１実施例を示すフリッカー測定装置を高速道路のサービスエリアの測定室に設置する例を示す図である。
【図８】本発明の第２実施例を示すフリッカー測定装置の斜視図である。
【図９】本発明の第３実施例を示すフリッカー測定装置の斜視図である。
【図１０】従来のフリッカーテスターの模式図である。
【符号の説明】
Ａ    被験者
Ｂ    椅子
１    基台
２    軸体
３    発光部本体
４    遮光用筒
５    中心光光源
５Ａ，５Ｂ，５Ｃ    複数の光源要素
６    周辺光光源
７    位置測定装置
８    向き・高さ調整装置
９    着座センサ
１０    パーソナルコンピュータ
１１    情報処理装置本体
１２    表示部
１３    中心光の大きさ制御装置
１４    中心光光源の点滅制御装置
１５    操作ボタン
１６    リモコン
１７    スリット
１８    カード
１９    開口
２１    運転席
２２    運転制御装置
２３    窓
３１    測定室
３２    カーテン
【図１】
0003836363.tif 000002
【図２】
0003836363.tif 000003
【図３】
0003836363.tif 000004
【図４】
0003836363.tif 000005
【図５】
0003836363.tif 000006
【図６】
0003836363.tif 000007
【図７】
0003836363.tif 000008
【図８】
0003836363.tif 000009
【図９】
0003836363.tif 000010
【図１０】
0003836363.tif 000011